(57)【要約】【課題】浴室の天井に配置して浴室内に配置された洗濯物を乾燥する場合において、洗濯物をより早く確実に乾かすことができる浴室乾燥機を提供すること。【解決手段】この浴室乾燥機ＤＭは、排気吸込口１０９から空気を吸い込んで排気口Ｅａから排気するための浴室排気流路１１５，１１６と、給気導入口Ｉａから空気を吸い込んで給気吹出口１１１から浴室内に送り出すための浴室給気流路１１３，１１４と、浴室排気流路１１５，１１６と浴室給気流路１１３，１１４とが交差する領域に設けられ、浴室排気流路１１５，１１６を流れる浴室内の空気と、浴室給気流路１１３，１１４を流れる外気との間で熱交換を行う熱交換器１０１と、を備え、給気吹出口１１１から吹き出される空気が循環吹出口１０８から吹き出される空気とは異なる領域に吹き出されるように構成されている。【選択図】図２
2011069580.tif 000002
【特許請求の範囲】
【請求項１】
浴室内に連通した循環吸込口から空気を吸い込んで浴室内に連通した循環吹出口から吹き出す循環ファンと、前記循環吹出口から吹き出される空気を加熱するヒータとを備えた浴室乾燥機において、
浴室内に連通した排気吸込口から空気を吸い込んで、外気に連通した排気口から排出するための浴室排気流路と、
浴室以外の他室又は外気と連通した給気導入口から空気を吸い込んで、浴室内に連通した給気吹出口から吹き出すための浴室給気流路と、
前記浴室排気流路と前記浴室給気流路とが交差する領域に設けられ、前記浴室排気流路を流れる浴室内の空気と、前記浴室給気流路を流れる外気との間で熱交換を行う熱交換器と、を備え、
前記給気吹出口から吹き出される空気と、前記循環吹出口から吹き出される空気とはそれぞれ浴室内の異なる領域に吹き出されることを特徴とする浴室乾燥機。
【請求項２】
前記給気吹出口から吹き出される空気は、前記循環吹出口から吹き出される空気よりも前記浴室乾燥機が設置される平面に近い方向に吹き出されるように構成されていることを特徴とする請求項１に記載の浴室乾燥機。
【請求項３】
前記給気吹出口から吹き出される空気は、前記循環吹出口から吹き出される空気よりも高速で吹き出されるように構成されていることを特徴とする請求項１に記載の浴室乾燥機。
【請求項４】
前記浴室乾燥機は、少なくとも第一ユニット及び第二ユニットの二つのユニットに分けて形成されており、
前記給気吹出口は前記第一ユニットに形成されており、前記循環吹出口は前記第二ユニットに形成されていることを特徴とする請求項１に記載の浴室乾燥機。
【発明の詳細な説明】
【技術分野】
【０００１】
本発明は、浴室乾燥機に関する。
【背景技術】
【０００２】
浴室内の空気を吸引して浴室内を乾燥させることが可能な浴室乾燥機として、下記特許文献１に記載されているような浴室乾燥機が提案されている。下記特許文献１に記載の浴室乾燥機は、排気ファンと給気ファンと熱交換器とを備えているものである。排気ファンによって浴室内空気を排出するために排気風路が設けられており、排気風路は室内空気吸込口から浴室内空気を取り入れて、排気口からダクトを介して建物の外に浴室内空気を排出するように構成されている。また、給気ファンによって外気を取り入れるために給気風路が設けられており、給気風路は外気吸込口から外気を取り入れて、室内吹出口から浴室内に外気を吹き出すように構成されている。
【０００３】
下記特許文献１に記載の浴室乾燥機において換気運転を行うと、排気ファンと給気ファンとが等しい風量を供給するように回転し、排気風路と給気風路に略同量の空気が流れて熱交換器において互いに熱交換をしながら、外気は浴室内に取り入れられ浴室内空気は屋外へ排出される。また、下記特許文献１に記載の浴室乾燥機において乾燥運転を行うと、初期段階においては換気運転と同じような空気の流れになり、湿った浴室内空気を積極的に排出し、外気を取り入れることで乾燥を効果的に行うことが記載されている。
【先行技術文献】
【特許文献】
【０００４】
【特許文献１】特開２００５−１６４１１４号公報
【発明の概要】
【発明が解決しようとする課題】
【０００５】
ところで、上記特許文献１に記載されているような浴室乾燥機を浴室の天井に配置し、その浴室乾燥機の設置場所の下方に洗濯物を配置して乾燥運転を実行した場合、洗濯物が思うように乾かない場合がある。
【０００６】
本発明はこのような課題に鑑みてなされたものであり、その目的は、浴室の天井に配置して浴室内に配置された洗濯物を乾燥する場合において、洗濯物をより早く確実に乾かすことができる浴室乾燥機を提供することにある。
【課題を解決するための手段】
【０００７】
上記課題を解決するために本発明に係る浴室乾燥機は、浴室内に連通した循環吸込口から空気を吸い込んで浴室内に連通した循環吹出口から吹き出す循環ファンと、前記循環吹出口から吹き出される空気を加熱するヒータとを備えた浴室乾燥機であって、浴室内に連通した排気吸込口から空気を吸い込んで、外気に連通した排気口から排出するための浴室排気流路と、浴室以外の他室又は外気と連通した給気導入口から空気を吸い込んで、浴室内に連通した給気吹出口から吹き出すための浴室給気流路と、前記浴室排気流路と前記浴室給気流路とが交差する領域に設けられ、前記浴室排気流路を流れる浴室内の空気と、前記浴室給気流路を流れる外気との間で熱交換を行う熱交換器と、を備え、前記給気吹出口から吹き出される空気と、前記循環吹出口から吹き出される空気とはそれぞれ浴室内の異なる領域に吹き出されることを特徴とする。
【０００８】
本発明によれば、循環ファンとヒータとを駆動することで、循環吸込口から吸込んだ浴室内の空気をヒータで加熱し、循環吹出口から浴室内に吹き出すことができ、浴室内の空気を循環加熱することが可能となって浴室内の空気の温度を上昇させることができる。
更に排気ファンを駆動することで、排気ファンの吸込側と浴室内に連通した排気吸込口とを繋ぐ浴室排気流路によって、浴室内の湿った空気を排出することができる。また、浴室排気流路と浴室給気流路とが交差する領域に熱交換器が設けられていることから、浴室内の湿った暖かい空気を排出する場合に、その熱を浴室給気流路を流れる空気へ移動させて浴室内へ供給することができる。従って、ヒータによって昇温された浴室内の空気の熱を無駄に屋外へ捨ててしまうことなく、熱のロスを極力抑えながら、浴室内の湿った空気を排出しつつ浴室内の温度を効果的に高めることができ、浴室内の絶対水蒸気量を下げて乾燥性能を向上させることができる。
【０００９】
更に本発明では、給気吹出口から吹き出される空気と、循環吹出口から吹き出される空気とはそれぞれ浴室内の異なる領域に吹き出されるように構成されているので、双方から吹き出される空気を浴室内の略同一の領域に吹き出すのに比較して、浴室内の空気の流れが滞らないように改善することができる。従って、この浴室乾燥機を浴室の天井に配置して浴室内に配置された洗濯物を乾燥する場合には、洗濯物が配置された領域においても空気の流れが滞らないように改善することができ、洗濯物をより早く確実に乾かすことができる。
【００１０】
また本発明に係る浴室乾燥機では、前記給気吹出口から吹き出される空気が、前記循環吹出口から吹き出される空気よりも前記浴室乾燥機が設置される平面に近い方向に吹き出されるように構成されていることも好ましい。この好ましい態様では、給気吹出口から吹き出される空気を、循環吹出口から吹き出される空気よりも浴室乾燥機が設置される平面に近い方向に吹き出されるように構成しているので、給気吹出口から吹き出される空気と循環吹き出される空気とを確実に浴室内の異なる領域に吹き出すことができる。従って、浴室内の空気の流れが滞らないように確実に改善することができる。
【００１１】
また本発明に係る浴室乾燥機では、前記給気吹出口から吹き出される空気が、前記循環吹出口から吹き出される空気よりも高速で吹き出されるように構成されていることも好ましい。この好ましい態様では、給気吹出口から吹き出される空気は循環吹出口から吹き出される空気よりも高速で吹き出されるので、より遠くまで気流として到達することができる。従って、この浴室乾燥機が設置される浴室の壁面に気流を到達させることができ、その壁面によって方向を変えることで、浴室内のより広い領域に気流を発生させることで洗濯物が配置された領域においても空気の流れが滞らないように改善することができる。
【００１２】
また本発明に係る浴室乾燥機では、前記浴室乾燥機は、少なくとも第一ユニット及び第二ユニットの二つのユニットに分けて形成されており、前記給気吹出口は前記第一ユニットに形成されており、前記循環吹出口は前記第二ユニットに形成されていることも好ましい。この好ましい態様では、給気吹出口が形成されている第一ユニットと循環吹出口が形成されている第二ユニットとを分けて形成しているので、第一ユニットと第二ユニットとをそれぞれ引き離した適切な場所に配置することで、給気吹出口から吹き出される空気と循環吹出口から吹き出される空気とが浴室内の異なる領域に確実に吹き出されるように構成することができる。
【発明の効果】
【００１３】
本発明によれば、浴室の天井に配置して浴室内に配置された洗濯物を乾燥する場合において、洗濯物をより早く確実に乾かすことができる浴室乾燥機を提供することができる。
【図面の簡単な説明】
【００１４】
【図１】本発明の第一実施形態である浴室乾燥機の外観を示す斜視図である。
【図２】本発明の第一実施形態である浴室乾燥機の構成を示す図であって、乾燥運転の際の動作を示す図である。
【図３】本発明の第一実施形態である浴室乾燥機の制御的な構成を示すブロック図である。
【図４】本発明の第一実施形態である浴室乾燥機を浴室に配置した場合の空気の流れを説明するための図である。
【図５】本発明の第二実施形態である浴室乾燥機の構成を示す図である。
【図６】従来の浴室乾燥機を浴室に配置した場合の空気の流れを説明するための図である。
【発明を実施するための形態】
【００１５】
以下、添付図面を参照しながら本発明の実施の形態について説明する。説明の理解を容易にするため、各図面において同一の構成要素に対しては可能な限り同一の符号を付して、重複する説明は省略する。
【００１６】
図１は、本発明の第一実施形態である浴室乾燥機ＤＭの外観を示す斜視図である。浴室乾燥機ＤＭは、浴室の天井に取り付けられるものであって、乾燥運転、換気運転、換気単独運転、暖房運転といった各種運転モードを実行することが可能なように構成されている（各運転モードの詳細については後述する）。図１に示されるように、浴室乾燥機ＤＭは、循環ユニット１０と排気ユニット２０とによって構成されている。循環ユニット１０には、給気導入口Ｉａが設けられている。給気導入口Ｉａは、浴室以外の他室（例えば、洗面所）又は外気と連通するように施工される空気の導入口である。
【００１７】
排気ユニット２０には、他室導入口Ｉｂと、他室導入口Ｉｃと、排気口Ｅａとが設けられている。他室導入口Ｉｂは、浴室以外の他室（例えば、洗面所）と連通するように施工される空気の導入口である。他室導入口Ｉｃは、浴室以外の他室であって他室導入口Ｉｂが連通されている室とは別の室（例えば、トイレ）と連通するように施工される空気の導入口である。排気口Ｅａは、外気に連通するように施工される空気の排出口である。
【００１８】
続いて、図２を参照しながら浴室乾燥機ＤＭの構成について説明する。図２は、浴室乾燥機ＤＭの構成を示す図であって、乾燥運転の際の動作を示す図である。図２に示されるように、循環ユニット１０には、熱交換器１０１と、循環ファン１０２と、給気ファン１０４と、ヒータ１０６と、排気ダンパ１１２と、カバー３０とが設けられている。カバー３０は、着脱自在に設けられている。給気導入口Ｉａは浴室給気流路１１３に連通しており、浴室給気流路１１３は浴室給気流路１１４に繋がっている。浴室給気流路１１４の末端には、カバー３０において給気吹出口１１１が設けられており、カバー３０の給気吹出口１１１には、ルーバー３１が配置されている。ルーバー３１によって、給気吹出口１１１から吹き出される空気は、循環吹出口１０８から吹き出される空気とは異なる領域に吹き出されるように構成されている。換言すれば、給気吹出口１１１から吹き出される空気はルーバー３１によって、循環吹出口１０８から吹き出される空気が向う方向よりも、浴室乾燥機ＤＭが設置される浴室の天井ＢＲ１に近づくように方向付けられている。浴室給気流路１１４には給気ファン１０４が配置されており、給気ファン１０４を駆動すると、給気導入口Ｉａから空気が吸い込まれ、浴室給気流路１１３，１１４を通って給気吹出口１１１から浴室内へと空気が吹き出される。
【００１９】
浴室給気流路１１３，１１４と交差するように、浴室排気流路１１５，１１６が設けられている。浴室排気流路１１５は、カバー３０に設けられた循環吸込口１０７から吸込まれた浴室内の空気を循環吹出口１０８と繋がる浴室循環流路１１７を迂回して吸い込むためのものであって、浴室排気流路１１６に繋がっている。浴室排気流路１１６は、排気連絡口１１０を介して排気ユニット２０に連通している。排気連絡口１１０には排気ダンパ１１２が配置されていて、排気ダンパ１１２を開くと浴室排気流路１１６から排気ユニット２０へ空気が流れ、排気ダンパ１１２を閉じると浴室排気流路１１６から排気ユニット２０への空気の流れが遮断されるように構成されている。
【００２０】
浴室給気流路１１３，１１４と浴室排気流路１１５，１１６とが交差する領域には熱交換器１０１が配置されている。熱交換器１０１は、浴室給気流路１１３から流入した空気を浴室給気流路１１４へ流出させる流路と、浴室排気流路１１５から流入した空気を浴室排気流路１１６へ流出させる流路とが層状に重なって交差するように形成されている。従って、浴室給気流路１１３，１１４を流れる空気と浴室排気流路１１５，１１６を流れる空気との間で熱交換を行うことが可能なように構成されている。
【００２１】
循環ユニット１０には、循環吸込口１０７と循環吹出口１０８とが設けられている。循環吸込口１０７及び循環吹出口１０８は、カバー３０に設けられている。循環吸込口１０７と循環吹出口１０８とは浴室循環流路１１７によって繋がれている。浴室循環流路１１７には循環ファン１０２が配置されており、循環ファン１０２を駆動することで循環吸込口１０７から浴室内の空気を吸い込んで、循環吹出口１０８から浴室内に吹き出すように構成されている。循環吹出口１０８にはヒータ１０６が設けられていて、ヒータ１０６に通電することで、循環吹出口１０８から吹き出す空気を暖めることができるように構成されている。
【００２２】
排気ユニット２０には、排気ファン２０１が設けられている。排気ファン２０１は、排気流路２０３に設けられている。排気流路２０３は、他室導入口Ｉｂ，Ｉｃ及び排気連絡口１１０と、排気口Ｅａとを繋ぐように形成されている。排気ファン２０１が駆動すると、他室導入口Ｉｂ，Ｉｃを介して他室から空気が吸い込まれて排気口Ｅａから排出される。排気連絡口１１０に設けられている排気ダンパ１１２が開いていれば、排気ファン２０１の駆動によって浴室排気流路１１６から空気が吸い込まれて排気口Ｅａから排出される。
【００２３】
図２に示す浴室乾燥機ＤＭは乾燥運転中なので、排気ダンパ１１２は開いた状態で、ヒータ１０６には通電されている。循環ファン１０２、給気ファン１０４、及び排気ファン２０１はそれぞれ所定の回転数で回転している。その結果、給気導入口Ｉａからは９０ｍ3／ｈの空気が吸い込まれて浴室給気流路１１３に供給される。浴室給気流路１１３に送り込まれた空気は熱交換器１０１で熱交換をして熱を受け取った後、浴室給気流路１１４を経由して給気吹出口１１１から浴室内へと吹き出される。給気吹出口１１１から浴室内へ吹き出される空気は９０ｍ3／ｈである。循環ファン１０２の駆動によって、循環吸込口１０７からは１５０ｍ3／ｈの空気が吸い込まれ、ヒータ１０６によって昇温された後に循環吹出口１０８から浴室内へと吹き出される。循環吹出口１０８から浴室内へ吹き出される空気は６０ｍ3／ｈである。排気ファン２０１の駆動によって、排気吸込口１０９からは９０ｍ3／ｈの空気が吸い込まれ、浴室排気流路１１５，１１６を経由して、排気流路２０３へと送り込まれる。排気ファン２０１の駆動によってはまた、他室導入口Ｉｂ，Ｉｃから１０５ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１９５ｍ3／ｈである。このように、給気吹出口１１１から浴室内へ吹き出される空気は、循環吹出口１０８から浴室内へ吹き出される空気よりも流量が多く高速となり、より遠くまで切るを到達できる。
【００２４】
図２に示すように、乾燥運転を行うに当たっては、排気ダンパ１１２は開いた状態で、ヒータ１０６には通電されており、循環ファン１０２、給気ファン１０４、及び排気ファン２０１はそれぞれ所定の回転数で回転していることが必要なので、制御部ＣＵから各部へ所定の制御信号が出力され、その結果として各部が所定の動作を実行する。浴室乾燥機ＤＭの制御的な構成を図３に示す。図３に示すように、制御部ＣＵにはリモコンＲＰから所定の操作信号が入力される。具体的には、リモコンＲＰには浴室乾燥機ＤＭの動作を開始したり終了したりするスイッチの他に、「乾燥運転」「換気運転」「換気単独運転」「暖房運転」といった浴室乾燥機ＤＭの運転モードを指定するための操作部が設けられている。制御部ＣＵは、その運転モードを指定する操作がリモコンＲＰになされ、リモコンＲＰから出力される運転モード指示信号を受信して各部に指示信号を出力する。具体的には、制御部ＣＵから、循環ファン１０２、給気ファン１０４、排気ファン２０１、及び排気ダンパ１１２に指示信号が出力され、循環ファン１０２、給気ファン１０４、排気ファン２０１、及び排気ダンパ１１２はその指示信号に基づいて所定の動作を実行する。
【００２５】
換気運転は、浴室及び浴室以外の他室を換気するものである。換気運転の具体的な動作について説明する。換気運転では、排気ダンパ１１２は開いた状態で、ヒータ１０６には通電されていない。循環ファン１０２及び給気ファン１０４は停止しており、排気ファン２０１は所定の回転数で回転している。その結果、排気ファン２０１の駆動によって、排気吸込口１０９からは５３ｍ3／ｈの空気が吸い込まれ、浴室排気流路１１５，１１６を経由して、排気流路２０３へと送り込まれる。排気ファン２０１の駆動によってはまた、他室導入口Ｉｂ，Ｉｃから５２ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１０５ｍ3／ｈである。
【００２６】
換気単独運転は、浴室以外の他室のみを換気するものである。換気単独運転の具体的な動作について説明する。換気単独運転では、排気ダンパ１１２は閉じた状態で、ヒータ１０６には通電されていない。循環ファン１０２及び給気ファン１０４は停止しており、排気ファン２０１は所定の回転数で回転している。その結果、排気ファン２０１の駆動によって、他室導入口Ｉｂ，Ｉｃから１０５ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１０５ｍ3／ｈである。
【００２７】
暖房運転は、浴室を暖房しつつ他室を換気するものである。暖房運転の具体的な動作について説明する。暖房運転では、排気ダンパ１１２は閉じた状態で、ヒータ１０６に通電されている。循環ファン１０２及び排気ファン２０１は所定の回転数で回転し、給気ファン１０４は停止している。その結果、排気ファン２０１の駆動によって、他室導入口Ｉｂ，Ｉｃから１０５ｍ3／ｈの空気が吸い込まれ、排気流路２０３へと送り込まれる。排気流路２０３に送り込まれた空気は排気ファン２０１によって排気口Ｅａから屋外へと排出される。排気口Ｅａから屋外へと排出される空気は１０５ｍ3／ｈである。循環ファン１０２の駆動によって、循環吸込口１０７からは１５０ｍ3／ｈの空気が吸い込まれ、ヒータ１０６によって昇温された後に循環吹出口１０８から浴室内へと吹き出される。循環吹出口１０８から浴室内へ吹き出される空気は１５０ｍ3／ｈである。
【００２８】
続いて、浴室乾燥機ＤＭを浴室ＢＲに設置し、乾燥運転を行った場合の空気の流れについて図４を参照しながら説明する。図４は、浴室ＢＲの天井ＢＲ１に浴室乾燥機ＤＭを設置した状態を示している。浴室ＢＲは、天井ＢＲ１と、床ＢＲ３と、天井ＢＲ１及び床ＢＲ３を繋ぐ側壁ＢＲ２，ＢＲ４によって箱状に形成されている。床ＢＲ３と側壁ＢＲ４とに接するように、浴槽ＢＴが配置されている。浴室乾燥機ＤＭは、浴槽ＢＴのほぼ真上に位置するように配置されている。浴室乾燥機ＤＭと浴槽ＢＴとの間には、洗濯物ＬＹがランドリーパイプによって吊り下げられている。
【００２９】
図４に示す状態で、浴室乾燥機ＤＭに乾燥運転を実行させると、給気吹出口１１１からは図中破線に示すような空気が吹き出され、循環吹出口１０８からは図中実線に示すような空気が吹き出される。循環吹出口１０８から吹き出される空気は、洗濯物ＬＹに直接吹き付けられ、洗濯物ＬＹの主に上部の乾燥に資する。一方、給気吹出口１１１から吹き出される空気は、洗濯物ＬＹに直接当たらずに浴室ＢＲの側壁ＢＲ２に向かい、側壁ＢＲ及び床ＢＲ３に沿って浴室ＢＲ内を循環し、浴槽ＢＴ側に向って流れる。そのため、給気吹出口１１１から吹き出された空気は、浴槽ＢＴの上部、換言すれば洗濯物ＬＹの下部に流れて洗濯物ＬＹ下部における空気の流れを促進し、当該部分における空気の滞留を防止する。また、給気吹出口１１１から吹き出される空気は、熱交換器１０１によって熱を受け取っているので、洗濯物ＬＹ下部の温度を上昇させ、洗濯物ＬＹの乾燥を更に促進する効果も奏する。
【００３０】
比較のため、従来の浴室乾燥機ＤＭｃを用いた場合の空気の流れを図６に示す。図６に示すように、浴室乾燥機ＤＭｃから吹き出される空気は全て洗濯物ＬＹに直接当たり、浴室ＢＲ内を循環するようには流れない。浴室ＢＲの側壁ＢＲ２に設けられている換気口（ガラリ）ＢＲ２ａから浴室ＢＲ内に空気は流れ込むけれども、換気口ＢＲ２ａから流れ込んだ空気は、浴室乾燥機ＤＭｃに直接向ったり、浴槽ＢＴによって流れが阻害されたりといった作用により、洗濯物ＬＹの下部には流れ込まず滞留領域ＳＡが発生する。従来の浴室乾燥機ＤＭｃでは、このように洗濯物ＬＹの下部が特に乾きにくいものであった。
【００３１】
続いて、本発明の第二実施形態である浴室乾燥機ＤＭａについて図５を参照しながら説明する。図５は浴室乾燥機ＤＭａを浴室ＢＲに設置した状態を示す図である。浴室乾燥機ＤＭａは、第一ユニット５０及び第二ユニット４０の二つのユニットに分けて形成されており、浴室乾燥機ＤＭの給気吹出口１１１に相当する給気吹出口５０３は第一ユニット５０に形成されており、循環吹出口１０８に相当する吹出口（図に明示せず）は第二ユニット４０に形成されている。第一ユニット５０には、熱交換器５０１が配置されていて、浴室以外の他室又は外気と連通した給気導入口５０２から流れ込んだ空気と、第二ユニット４０に設けられた排気吸込口（浴室乾燥機ＤＭの排気吸込口１０９に相当、図に明示せず）から吸い込まれ、連絡流路４０１を経由して第一ユニット５０に供給される空気との間で熱交換が行われるように構成されている。連絡流路４０１を経由して第一ユニット５０に供給される空気は、排気口５０４から屋外へと排出される。
【００３２】
上述したように構成される浴室乾燥機ＤＭａは、第二ユニット４０が浴槽ＢＴの上部に配置され、第一ユニット５０が浴槽ＢＴの上部からはオフセットした位置（洗い場上方）に配置されている。このように浴室乾燥機ＤＭａを配置することで、給気吹出口５０３から吹き出される空気を、洗濯物ＬＹには直接当たらない領域に引き離して吹き出すことが確実にでき、浴室ＢＲ内を循環させることができる。この場合も、第一ユニット５０の給気吹出口５０３から吹き出される空気は第二ユニット４０の循環吹き出し空気よりも高速となるように構成されている。
【符号の説明】
【００３３】
ＤＭ，ＤＭａ：浴室乾燥機
ＣＵ：制御部
Ｉａ：給気導入口
Ｉｂ：他室導入口
Ｉｃ：他室導入口
Ｅａ：排気口
１０：循環ユニット
２０：排気ユニット
１０１：熱交換器
１０２：循環ファン
１０４：給気ファン
１０６：ヒータ
１０７：循環吸込口
１０８：循環吹出口
１０９：排気吸込口
１１０：排気連絡口
１１１：給気吹出口
１１２：排気ダンパ
１１３：浴室給気流路
１１４：浴室給気流路
１１５：浴室排気流路
１１６：浴室排気流路
１１７：浴室循環流路
２０１：排気ファン
２０３：排気流路
【図１】
2011069580.tif 000003
【図２】
2011069580.tif 000004
【図３】
2011069580.tif 000005
【図４】
2011069580.tif 000006
【図５】
2011069580.tif 000007
【図６】
2011069580.tif 000008